(57)【要約】【課題】握力の弱い子どもやお年寄りには難しいことがある。また、爪にペイント等を施している場合には、爪を破損するおそれもある。【解決手段】  円孔部１と把持部６とで形成され、前記円孔部１と把持部６によるペットボトルオープナーの機能と、前記把持部６の先端が２点に分岐し形成された爪状部３によるプルタブオープナーの機能と、前記把持部６に設けられた小円孔部２による口栓付バウチ容器飲料やチューブのふたのオープナーの機能という、複数の機能を一体化して有することを特徴とする飲料容器用オープナー。【選択図】図１
2012081975.tif 000002
【特許請求の範囲】
【請求項１】
円孔部１と把持部６とで形成され、前記円孔部１と把持部６によるペットボトルオープナーの機能と、前記把持部６の先端が２点に分岐し形成された爪状部３によるプルタブオープナーの機能と、前記把持部６に設けられた小円孔部２による口栓付バウチ容器飲料やチューブのふたのオープナーの機能という、複数の機能を一体化して有することを特徴とする飲料容器用オープナー。
【請求項２】
前記円孔部１、小円孔部２と把持部６によりふたを開栓又は閉栓する際には、把持部６の回転方向にかかわらず該小突起１１、１２が滑り止めとなり、開栓又は閉栓を可能にすることを特徴とする請求項１に記載の飲料容器用オープナー。
【請求項３】
前記把持部６の先端の２点の爪状部３の一方をプルタブの外側に掛け、もう一方の爪状部３ｂを同じプルタブの缶中央部の結合部付近に乗せ支点としてプルタブを引き起こすように、前記爪状部３を形成したことを特徴とする請求項１または２に記載の飲料容器用オープナー。
【請求項４】
前記把持部６の反対方向の小円凹部４に小突起１２を形成し、磁石８をはめ込み装着ができる構造。および端小円孔部５に紐やストラップなどが装着できる構造としたことを特徴とする請求項１乃至３のいずれかに記載の飲料容器用オープナー。
【請求項５】
前記円孔部１の上部に7:プラスチックレンズを設け、飲料容器の表示文字、新聞や雑誌等の小さな文字を容易に見ることができる構造としたことを特徴とする請求項１乃至４のいずれかに記載の飲料容器用オープナー。
【発明の詳細な説明】
【技術分野】
【０００１】
本発明は、ペットボトル飲料をはじめとする飲料容器を開封するための、飲料容器用オープナーに関するものである。
【背景技術】
【０００２】
近年大きく普及した市販のペットボトル飲料の開栓の場合、樹脂製のふたを握り一定の力で一方向に回転させねじ切る方式を採っているが、１）ふたに密着した本体をかぶせて掌を用いて回転させより、大きな回転軸を与えてねじ切る方式（特許文献１〜５）、２）ふたを円孔部に密着させて円孔部の一方向に形成された把持部を握り一方向に回転させることでより大きな回転軸を与えねじ切る方式（特許文献６〜８）、などこの開栓方式に対応したオープナーが数多く提案されている。
【０００３】
缶飲料に多いプルタブの開封を容易にするオープナーも、１）１枚の爪状部を缶の外側から又は中心側からプルタブに差し込みてこの原理により引き起こす方式（特許文献９〜１０）、２）２枚の薄い板状片でプルタブ缶の外側を挟み込みタブの結合部を支点としたてこの原理により引き起こす方式（特許文献１１〜１２）、などが提案されている。
【０００４】
これらのオープナーの中には、市販の飲料は外出先で購入して飲む機会が多いため、外出時に携行できるような機構を設けたものも提案されている（特許文献１３〜１５）。携行時に役立つよう、オープナー以外の機能を有したものも提案されている（特許文献１６〜１９）。
【先行技術文献】
【特許文献】
【０００５】
【特許文献１】特開２００３-１１２７９５号公報
【特許文献２】特開２００４-２０３４７８号公報
【特許文献３】特開２００５-２６３２９０号公報
【特許文献４】実登第３１１９８３２号公報
【特許文献５】特開２００２-３６２６８５号公報
【特許文献６】実登第３０６５５３９号公報
【特許文献７】特開２００１-１３９０３０号公報
【特許文献８】特開２００４-７５１８６号公報
【特許文献９】特開２００９-２４９０３５号公報
【特許文献１０】実登第３０４７９６７号公報
【特許文献１１】特開２００３-１８２７９６号公報
【特許文献１２】特開２００１-１５８５００号公報
【特許文献１３】特開２００１-５８６９６号公報
【特許文献１４】実登第３１３５５３０号公報
【特許文献１５】特開２０１０-９５３１２号公報
【特許文献１６】特開２００４-２０３４７８号公報
【特許文献１７】特開２００３-１１２７９５号公報
【特許文献１８】実登第３１０５６０４号公報
【特許文献１９】実登第３０７７０７１号公報
【発明の概要】
【発明が解決しようとする課題】
【０００６】
市販されている飲料等は、さまざまな容器で提供されており、開封の形式も様々である。かかる容器の開封の際には一定程度の力が必要であり、握力の弱い子どもやお年寄りには難しいことがある。また、爪にペイント等を施している場合には、爪を破損するおそれもある。
上記の課題に対して各種のオープナーが提案されている。こうしたオープナーを飲料容器の開封に用いる際には、１）握力の強弱や利き手の違いにかかわらず使用することが可能なこと、２）説明等がなくても直感的に使用が可能なこと、が求められる。
【０００７】
また、市販の飲料は外出先で購入して飲む機会が多いため、オープナーは外出時に携行できることが必要であるが、そのためには１）複数の機能をかさばらずに有すること、２）比較的単純な機構や材質で形成されていて壊れにくいこと、が求められる。
各種オープナーが提案されているものの、多機能を備えたものがない。
【課題を解決するための手段】
【０００８】
上記の課題を解決するため、本発明は次のような機能を有する飲料容器用オープナーとする。
【０００９】
（構成１）
円孔部１と把持部６とで形成され、前記円孔部１と把持部６によるペットボトルオープナーの機能と、前記把持部６の先端が２点に分岐し形成された爪状部３によるプルタブオープナーの機能と、前記把持部６に設けられた小円孔部２による口栓付バウチ容器飲料やチューブのふたのオープナーの機能という、複数の機能を一体化して有することを特徴とする飲料容器用オープナー。
【００１０】
（構成２）
前記円孔部１、小円孔部２と把持部６によりペットボトル飲料のふたを開栓又は閉栓する際には、把持部６の回転方向にかかわらず該小突起１１、１２が滑り止めとなり、開栓又は閉栓を可能にすることを特徴とする請求項１に記載の飲料容器用オープナー。
【００１１】
（構成３）
前記把持部６の先端の２点の爪状部３の一方をプルタブの外側に掛け、もう一方の爪状部３ｂを同じプルタブの缶中央部の結合部付近に乗せ支点としてプルタブを引き起こすように、前記爪状部３を形成したことを特徴とする請求項１または請求項２に記載の飲料容器用オープナー。
【００１２】
（構成４）
前記把持部６の反対方向の小円凹部４に小突起１２を形成し、磁石８をはめ込み装着ができる構造。および端小円孔部５に紐やストラップなどが装着できる構造としたことを特徴とする請求項１または請求項３に記載の飲料容器用オープナー。
【００１３】
（構成５）
前記円孔部１の上部に7:プラスチックレンズを設け、飲料容器の表示文字、新聞や雑誌等の小さな文字を容易に見ることができる構造としたことを特徴とする請求項１または請求項２に記載の飲料容器用オープナー。
【発明の効果】
【００１４】
本発明のオープナーのように把持部を有する形式のほうが、ペットボトル飲料のふたを開栓又は閉栓する場合、ふたにかぶせる形式よりも、掌の大きさに依存することがない点やふたをねじ切る際の回転軸が大きくなる点からより有効である。
【００１５】
プルタブのオープナーの場合、２枚の薄い板状片を用いる形式は、該箇所が他の箇所に比して強度が小さいため使用時に破損する可能性がある。本発明のオープナーのようにプルタブの外側に掛けた把持部の先端の爪状部の一方が、同じプルタブの缶中央部の結合部付近に乗せたもう一方の爪状部を支点としたてこの原理によりプルタブを引き起こすが、この時の本発明の動作方向は指をプルタブの外側に掛けて引き起こす場合と同じ方向であり、既存のプルタブオープナーよりも直感的に使用することが可能である
【００１６】
本発明のオープナーの把持部には、口栓付バウチ容器飲料やチューブのキャップを開封するための小円孔部を設けてあり、ペットボトル飲料や缶飲料以外の容器の開封にも有用である。
【００１７】
本発明のオープナーには、紐やストラップを通すための端小円孔を有するので、外出時の携行にも有用である
【００１８】
本発明のオープナーには、磁力による保持を可能にするための小型磁石が固着されており、飲料を保管する冷蔵庫の庫面への保持など、日常時の使用にも有用である。
【００１９】
本発明のオープナーには、視力低下の人には飲料容器の表示文字、新聞や雑誌の小さな文字が容易に見られることができる。
【図面の簡単な説明】
【００２０】
【図１】飲料容器用オープナーの正面図である。
【図２】飲料容器用オープナーの側面図である。
【図３】キャップを開閉栓する際の持ち方の説明図である。
【図４】プルタブを開封する際の持ち方の説明図である。
【図５】バウチ容器・チューブを開封する際の持ち方の説明図である。
【発明を実施するための形態】
【００２１】
以下本発明を図面を参照して詳細に説明する。
図
【００２２】
図１〜図５に具体例を示す。
図１に示すように、本発明のオープナーの本体は円孔部１と把持部６から形成される。
円孔部１と把持部６とは一体成型されており、全体的に角を取り丸みを帯びている。材質は合成樹脂を使用し、リサイクル（再生利用）可能で、かつ充分な強度を保持している。
【００２３】
円孔部１の直径は市販のペットボトル飲料（主として５００ｍｌ）のふたに対応しており、ペットボトル飲料のふたを回転させる際に力を伝達するために十分な厚みを有している。
【００２４】
図１及び、その縦断面図である図２（ａ）に示すように、円孔部１の内側には小突起（山形の刻み）１１が設けられており、ペットボトル飲料のふたを回転させる際に該突起１１とふたの刻みと間に摩擦力を生じさせ、この摩擦力により該オープナーを回転させる際、円孔部１とふたとのずれを防止する。
【００２５】
円孔部１の一方向には、把持部６が形成されている。把持部６は握りやすい厚みとなっている。把持部６の形状は、弓状にやや湾曲していることが好ましい。把持部６は握りやすく力を入れやすい形状である。
【００２６】
把持部６の先端は２点に分岐しているおり、それぞれが爪状部３として形成されている。把持部の中央部に小円孔を設けている。小円孔部の内側には山形の刻みを有しており、口栓付バウチ容器飲料やチューブのふたを開封する際に該刻みとふたの刻みと間に摩擦力を生じさせ、この摩擦力により該オープナーを回転させる際、円孔部とふたとのずれを防止する。
【００２７】
把持部６の一端には小円凹部４が設けられており、小円凹部４には同一径の円形の磁石３をはめ込み装着する。
把持部６の反対方向に携行手段の端小円孔部５が設けられている。
図２の（ｂ）は、変形例で、円孔部１の上部に、プラスチックレンズが設けられている。
【実施例１】
【００２８】
上記の図１とは図２に示すような飲料容器用オープナーの、使用方法を図３〜４で説明する。図１と図２に示したように、飲料容器用オープナーは、円孔部１と把持部６とで形成され、前記円孔部１と把持部６によるペットボトルオープナーの機能と、前記把持部６の先端が２点に分岐し形成された爪状部３によるプルタブオープナーの機能と、前記把持部６に設けられた小円孔部２による口栓付バウチ容器飲料やチューブのふたのオープナーの機能という、複数の機能を一体化して有する。
【００２９】
図３や図５に示すように、前記円孔部１、小円孔部２と把持部６によりふたを開栓又は閉栓する際には、把持部６の回転方向にかかわらず該小突起１１、１２により滑り止めをして、開栓又は閉栓する。
【００３０】
図４（ａ）に示すように、把持部６の先端の２点の爪状部３の一方をプルタブ９の外側に掛け、もう一方の爪状部を同じプルタブの缶１０の上面にあてがい、支点としてプルタブを引き起こす。
【００３１】
上記のように、把持部６の反対方向の小円凹部４に小突起１２を形成し、磁石８をはめ込み装着ができる構造や、端小円孔部５に紐やストラップなどが装着できる構造により磁石による固定と携行が可能となる。
【００３２】
本発明のオープナーは握力の低下した高齢者や病人向けの飲料容器用オープナーとして個人向けに市販することが可能である。
病院や介護施設、幼稚園など本発明のオープナーの対象者が多く在籍する施設等へ市販することが可能である。
本発明のオープナーの対象者への贈答品として市販することが可能である。
【符号の説明】
【００３３】
１  円孔部  
２  小円孔部
３  爪状部
４  小円凹部
５  端小円孔部
６  把持部
７  プラスチックレンズ部
８  磁石
１１  小突起
１２  小突起
【図１】
2012081975.tif 000003
【図２】
2012081975.tif 000004
【図３】
2012081975.tif 000005
【図４】
2012081975.tif 000006
【図５】
2012081975.tif 000007